(57)【要約】【課題】インターフェイス条件の異なる玄関子機の接続を容易に行なう。【解決手段】玄関子機２０ａ、２０ｂ、・・・２０ｎにドアホンアダプタ１０のドアホンインターフェイス１０３を接続し、ドアホンアダプタのアダプタＵＳＢインターフェイス１０４にパーソナルコンピュータ４０のパーソナルコンピュータＵＳＢインターフェイス４０２を接続し、パーソナルコンピュータは、ドアホンアダプタを介し玄関子機とパーソナルコンピュータ間で呼出、通話および映像のモニタのインターホン機能を実行するアプリケーションソフトウェア４０１を備え、ドアホンアダプタは、パーソナルコンピュータからパーソナルコンピュータＵＳＢインターフェイスおよびアダプタＵＳＢインターフェイスを介して受電し玄関子機に給電するカメラ電源回路１０３ａと、玄関子機で変調された映像信号を復調するＦＭ復調回路１０３ｂと、アプリケーションソフトウェアからの制御によりカメラ電源回路、ＦＭ復調回路を調節してインターフェイス条件の異なる玄関子機を接続するＣＰＵ１０６とを備える。【選択図】図１
2004282125.tif 000002
【特許請求の範囲】
【請求項１】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記パーソナルコンピュータは、前記ドアホンアダプタを介し前記玄関子機と前記パーソナルコンピュータ間で呼出、通話および映像のモニタのインターホン機能を実行するアプリケーションソフトウェア（４０１）を備えることを特徴とするインターホン装置。
【請求項２】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記パーソナルコンピュータは、前記パーソナルコンピュータから前記パーソナルコンピュータＵＳＢインターフェイスおよび前記アダプタＵＳＢインターフェイスを介して前記ドアホンアダプタに給電すると共に前記ドアホンアダプタから前記ドアホンインターフェイス（１０３）を介して受電し前記玄関子機に給電する電源供給回路（４０３）を備え、
前記ドアホンアダプタは、前記パーソナルコンピュータから前記パーソナルコンピュータＵＳＢインターフェイスおよび前記アダプタＵＳＢインターフェイスを介して前記玄関子機に給電するカメラ電源回路（１０３ａ）を備えることを特徴とするインターホン装置。
【請求項３】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記パーソナルコンピュータは、前記ドアホンアダプタを介し前記玄関子機と前記パーソナルコンピュータ間で呼出、通話および映像のモニタのインターホン機能を実行するアプリケーションソフトウェア（４０１）を備え、
前記ドアホンアダプタは、前記パーソナルコンピュータから前記パーソナルコンピュータＵＳＢインターフェイスおよび前記アダプタＵＳＢインターフェイスを介して受電し前記玄関子機に給電するカメラ電源回路（１０３ａ）と、前記玄関子機で変調された映像信号を復調するＦＭ復調回路（１０３ｂ）と、前記アプリケーションソフトウェアからの制御により前記カメラ電源回路、前記ＦＭ復調回路を調節してインターフェイス条件の異なる前記玄関子機を接続するＣＰＵ（１０６）とを備えることを特徴とするインターホン装置。
【請求項４】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記パーソナルコンピュータは、前記玄関子機からの映像信号と音声信号を保存、読み出しする記憶装置（４０４）を備えることを特徴とするインターホン装置。
【請求項５】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記パーソナルコンピュータは、前記玄関子機からの映像信号と音声信号を保存、読み出しする記憶装置（４０４）を備え、
前記ドアホンアダプタは、親機インターフェイス（１０１）を介して前記パーソナルコンピュータとの間で呼出、通話をし、前記記憶装置に保存した映像信号を変調して送信し、音声信号を送受信する親機（３０）に接続されることを特徴とするインターホン装置。
【請求項６】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記パーソナルコンピュータは、前記玄関子機からの呼出信号、映像信号、音声信号をネットワークを通じて他の機器へ送受信するＬＡＮインターフェイス（４０８）を備えることを特徴とするインターホン装置。
【請求項７】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記ドアホンアダプタは、前記玄関子機からの呼出信号、映像信号、音声信号をネットワークを通じて他の機器へ送受信する無線ＬＡＮインターフェイス（１０５）を備えることを特徴とするインターホン装置。
【請求項８】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記パーソナルコンピュータは、前記ドアホンアダプタを介し前記玄関子機と前記パーソナルコンピュータ間で呼出、通話および映像のモニタのインターホン機能を実行するアプリケーションソフトウェア（４０１）と、前記映像を表示する表示装置（４０５）とを備え、
前記アプリケーションソフトウェアは、前記表示装置に表示される映像の画質を任意に調整する画像処理（４０１ａ）を備えることを特徴とするインターホン装置。
【請求項９】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記パーソナルコンピュータは、前記ドアホンアダプタを介し前記玄関子機と前記パーソナルコンピュータ間で呼出、通話および映像のモニタのインターホン機能を実行するアプリケーションソフトウェア（４０１）と、前記玄関子機からの呼出に応じて呼出音を鳴動するスピーカ（４０６）とを備え、
前記アプリケーションソフトウェアは、前記玄関子機からの呼出に応じて前記スピーカで鳴動する呼出音を設定するサウンドファイル（４０１ｂ）を備えることを特徴とするインターホン装置。
【請求項１０】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記パーソナルコンピュータは、前記ドアホンアダプタを介し前記玄関子機と前記パーソナルコンピュータ間で呼出、通話および映像のモニタのインターホン機能を実行するアプリケーションソフトウェア（４０１）を備え、
前記ドアホンアダプタは、前記玄関子機を順次切替えるドアホン選択回路（１０２）と、前記ドアホン選択回路を制御するＣＰＵ（１０６）とを備えることを特徴とするインターホン装置。
【請求項１１】
玄関子機（２０ａ、２０ｂ、・・・２０ｎ）にドアホンアダプタ（１０）のドアホンインターフェイス（１０３）を接続し、前記ドアホンアダプタのアダプタＵＳＢインターフェイス（１０４）にパーソナルコンピュータ（４０）のパーソナルコンピュータＵＳＢインターフェイス（４０２）を接続し、
前記パーソナルコンピュータは、前記ドアホンアダプタを介し前記玄関子機と前記パーソナルコンピュータ間で呼出、通話および映像のモニタのインターホン機能を実行するアプリケーションソフトウェア（４０１）を備え、
前記アプリケーションソフトウェアは、予め設定した時間に前記玄関子機からの映像信号、音声信号を記憶装置（４０４）に保存するためのタイマー（４０１ｃ）を備えることを特徴とするインターホン装置。
【発明の詳細な説明】
【０００１】
【発明の属する技術分野】
本発明はインターホン装置に係り、特に玄関子機とパーソナルコンピュータ間で呼出、通話および映像のモニタをすることができ、また、インターフェイス条件の異なる玄関子機を容易に接続することができるインターホン装置に関する。
【０００２】
【従来の技術】
従来から、この種のインターホン装置として、図２に示されるようなものが知られている（例えば、特許文献１参照）。同図において、従来のインターホン装置は、住宅の玄関に設置される玄関子機５０と、居室内に設置される親機６０とを備えており、この親機６０は伝送路Ｌを介して玄関子機５０に接続されている。
【０００３】
玄関子機５０は、呼出ボタン５０１、マイク５０２、スピーカ５０３、カメラ５０４、ＦＭ変調回路５０５および子機インターフェイス５０６の各部を備えており、また、親機６０はドアホンインターフェイス６０１、電源回路６０２、表示装置６０３、スピーカ６０４およびマイク６０５の各部を備えている。
【０００４】
このように構成されたインターホン装置において、訪問者が玄関子機５０の呼出ボタン５０１を押下すると、呼出信号が伝送路Ｌを介して親機６０のドアホンインターフェイス６０１へ伝送され、親機６０のスピーカ６０４から呼出音が鳴動すると共に、表示装置６０３に玄関子機５０のカメラ５０４で撮像された映像が出画される。また、表示装置６０３に映像が出画している状態において、親機６０の図示しないハンドセットを取り上げると、玄関子機５０と親機６０との間で通話が可能になる。
【０００５】
【特許文献１】特開平１１−２７５２４０号公報  （段落「００２０」〜「００２１」、図１）
【０００６】
【発明が解決しようとする課題】
しかしながら、このような構成のインターホン装置においては、玄関子機が親機に直接接続されているため、次のような難点があった。
【０００７】
第１に、玄関子機として、デザインや価格などの面で他の玄関子機を使用したいと考えても、玄関子機のインターフェイス条件の違いから、他の玄関子機を容易に接続することができないという難点があった。
【０００８】
第２に、この種のインターホン装置においては、機器の多くはＡＣ電源に直結されているので、ＡＣ電源の接続工事を電気工事士等が行なう必要があり、一般ユーザーでは施工を簡単に行なうことができないという難点があった。
【０００９】
第３に、訪問者の映像を録画する場合、録画機能を有するインターホン装置を使用するか、若しくはビデオ出力端子を有するインターホン装置と市販のビデオデッキを組み合わせ必要があるため、拡張性に欠け、また、価格も割高になるという難点があった。
【００１０】
第４に、この種のインターホン装置においては、画質調整機能として、一般に明るさ・コントラスト・色合い程度しかないため、インターホン装置の設置条件に応じて柔軟に画質調整を行なうことができないという難点があった。
【００１１】
第５に、この種のインターホン装置においては、玄関子機からの呼出音として、予め設定された音色か、若しくは数種類の音色からしか選択できないため、インターホン装置の使用環境などによっては呼出音が聞こえ難く、また、同じ音色の場合、隣近所等のインターホン装置との判別が困難であるという難点があった。
【００１２】
第６に、インターホン装置を監視用として使用する場合、親機に接続できる玄関子機の個数がせいぜい２、３台程度であるため、同時に多地点の監視をすることができないという難点があった。
【００１３】
第７に、この種のインターホン装置においては、タイマー機能がないため、予め設定した時間や一定間隔での録画ができないという難点があった。
【００１４】
本発明は、このような難点を解消するためになされたもので、複数の玄関子機にドアホンアダプタのドアホンインターフェイスを接続し、当該ドアホンアダプタのアダプタＵＳＢ（Ｕｎｉｖｅｒｓａｌ  Ｓｅｒｉａｌ  Ｂｕｓ）インターフェイスにパーソナルコンピュータのパーソナルコンピュータＵＳＢインターフェイスを接続することにより、玄関子機とパーソナルコンピュータ間で呼出、通話および映像のモニタをすることができ、また、インターフェイス条件の異なる玄関子機を容易に接続することができるインターホン装置を提供することを目的とする。
【００１５】
【課題を解決するための手段】
上記の目的を達成するため、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイス４０２を接続し、当該パーソナルコンピュータは、ドアホンアダプタを介し玄関子機とパーソナルコンピュータ間で呼出、通話および映像のモニタのインターホン機能を実行するアプリケーションソフトウェアを備えている。
【００１６】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイスを接続し、パーソナルコンピュータは、パーソナルコンピュータからパーソナルコンピュータＵＳＢインターフェイスおよびアダプタＵＳＢインターフェイスを介してドアホンアダプタに給電すると共にドアホンアダプタからドアホンインターフェイスを介して受電し玄関子機に給電する電源供給回路を備え、ドアホンアダプタは、パーソナルコンピュータからパーソナルコンピュータＵＳＢインターフェイスおよびアダプタＵＳＢインターフェイスを介して玄関子機に給電するカメラ電源回路を備えている。
【００１７】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイスを接続し、パーソナルコンピュータは、ドアホンアダプタを介し玄関子機とパーソナルコンピュータ間で呼出、通話および映像のモニタのインターホン機能を実行するアプリケーションソフトウェアを備え、ドアホンアダプタは、パーソナルコンピュータからパーソナルコンピュータＵＳＢインターフェイスおよびアダプタＵＳＢインターフェイスを介して受電し玄関子機に給電するカメラ電源回路と、玄関子機で変調された映像信号を復調するＦＭ復調回路と、アプリケーションソフトウェアからの制御によりカメラ電源回路、ＦＭ復調回路を調節してインターフェイス条件の異なる玄関子機を接続するＣＰＵとを備えている。
【００１８】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイス４０２を接続し、当該パーソナルコンピュータは、パーソナルコンピュータからパーソナルコンピュータＵＳＢインターフェイスおよびアダプタＵＳＢインターフェイスを介してドアホンアダプタに給電し、さらにドアホンアダプタからドアホンインターフェイスを介して玄関子機に給電する電源供給回路を備え、ドアホンアダプタは、パーソナルコンピュータからパーソナルコンピュータＵＳＢインターフェイスおよびアダプタＵＳＢインターフェイスを介して玄関子機に給電するカメラ電源回路と、玄関子機で変調された映像信号を復調するＦＭ復調回路と、アプリケーションソフトウェアからの制御によりカメラ電源回路、ＦＭ復調回路を調節してインターフェイス条件の異なる玄関子機を接続するＣＰＵとを備えている。
【００１９】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイス４０２を接続し、当該パーソナルコンピュータは、玄関子機からの映像信号と音声信号を保存、読み出しする記憶装置を備えている。
【００２０】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイス４０２を接続し、当該パーソナルコンピュータは、玄関子機からの映像信号と音声信号を保存、読み出しする記憶装置を備え、ドアホンアダプタは、親機インターフェイスを介してパーソナルコンピュータとの間で呼出、通話をし、記憶装置に保存した映像信号を変調して送信し、音声信号を送受信する親機に接続されている。
【００２１】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイス４０２を接続し、当該パーソナルコンピュータは、玄関子機からの呼出信号、映像信号、音声信号をネットワークを通じて他の機器へ送受信するＬＡＮインターフェイスを備えている。
【００２２】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイス４０２を接続し、ドアホンアダプタは、玄関子機からの呼出信号、映像信号、音声信号をネットワークを通じて他の機器へ送受信する無線ＬＡＮインターフェイスを備えている。
【００２３】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイス４０２を接続し、当該パーソナルコンピュータは、ドアホンアダプタを介し玄関子機とパーソナルコンピュータ間で呼出、通話および映像のモニタのインターホン機能を実行するアプリケーションソフトウェアと、映像を表示する表示装置とを備え、当該アプリケーションソフトウェアは、表示装置に表示される映像の画質を任意に調整する画像処理を備えている。
【００２４】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイス４０２を接続し、当該パーソナルコンピュータは、ドアホンアダプタを介し玄関子機とパーソナルコンピュータ間で呼出、通話および映像のモニタのインターホン機能を実行するアプリケーションソフトウェアと、玄関子機からの呼出に応じて呼出音を鳴動するスピーカとを備え、アプリケーションソフトウェアは、玄関子機からの呼出に応じてスピーカで鳴動する呼出音を設定するサウンドファイルを備えている。
【００２５】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイス４０２を接続し、当該ソナルコンピュータは、ドアホンアダプタを介し玄関子機とパーソナルコンピュータ間で呼出、通話および映像のモニタのインターホン機能を実行するアプリケーションソフトウェアを備え、ドアホンアダプタは、玄関子機を順次切替えるドアホン選択回路と、ドアホン選択回路を制御するＣＰＵとを備えている。
【００２６】
また、本発明のインターホン装置は、玄関子機にドアホンアダプタのドアホンインターフェイスを接続し、ドアホンアダプタのアダプタＵＳＢインターフェイスにパーソナルコンピュータのパーソナルコンピュータＵＳＢインターフェイス４０２を接続し、当該パーソナルコンピュータは、ドアホンアダプタを介し玄関子機とパーソナルコンピュータ間で呼出、通話および映像のモニタのインターホン機能を実行するアプリケーションソフトウェアを備え、アプリケーションソフトウェアは、予め設定した時間に前記玄関子機からの映像信号、音声信号を記憶装置に保存するためのタイマーを備えている。
【００２７】
本発明のインターホン装置によれば、複数の玄関子機にドアホンアダプタのドアホンインターフェイスを接続し、当該ドアホンアダプタのアダプタＵＳＢインターフェイスにパーソナルコンピュータのパーソナルコンピュータＵＳＢインターフェイスを接続することにより、玄関子機とパーソナルコンピュータ間で呼出、通話および映像のモニタをすることができ、また、インターフェイス条件の異なる玄関子機を容易に接続することができる。
【００２８】
【発明の実施の形態】
以下、本発明のインターホン装置の好ましい実施の形態例について、図面を参照して説明する。ここで、図１は、本発明の一実施例におけるインターホン装置のブロック図を示している。
【００２９】
同図において、本発明のインターホン装置は、二世帯住宅等の各玄関等にれぞれ設置される複数の玄関子機２０ａ、２０ｂ、・・・２０ｎ（以下、玄関子機２０ａを「第１の玄関子機２０ａ」と、玄関子機２０ｂを「第２の玄関子機２０ｂ」という。）と、居室内に設置されるドアホンアダプタ１０、親機３０およびパーソナルコンピュータ４０とを備えている。ここで、各玄関子機２０ａ、２０ｂ、・・・２０ｎは、子機幹線Ｌ１ａ、Ｌ１ｂ、…Ｌ１ｎ（以下、子機幹線Ｌ１ａを「第１の子機幹線Ｌ１ａ」と、子機幹線Ｌ１ｂを「第２の子機幹線Ｌ１ｂ」という。）を介してドアホンアダプタ１０に接続され、このドアホンアダプタ１０には親機幹線Ｌ２を介して親機３０が、伝送ラインＬ３を介してパーソナルコンピュータ４０がそれぞれ接続されている。なお、子機幹線Ｌ１ａ、Ｌ１ｂ、…Ｌ１ｎ、親機幹線Ｌ２および伝送ラインＬ３は、それぞれペア線で構成されている。
【００３０】
複数の玄関子機２０ａ、２０ｂ、・・・２０ｎはそれぞれ同様の構成とされ、それぞれ、呼出ボタン２０１、マイク（以下「子機マイク」という。）２０２、スピーカ（以下「子機スピーカ」という。）２０３、カメラ２０４、ＦＭ変調回路２０５および子機インターフェイス２０６の各部を備えている。ここで、呼出ボタン２０１、子機マイク２０２、子機スピーカ２０３およびＦＭ変調回路２０５は子機インターフェイス２０６に接続され、ＦＭ変調回路２０５にはカメラ２０４が接続されている。
【００３１】
ドアホンアダプタ１０は、親機インターフェイス１０１、ドアホン選択回路１０２、ドアホンインターフェイス１０３、アダプタＵＳＢインターフェイス１０４、無線ＬＡＮインターフェイス１０５およびＣＰＵ１０６の各部を備えており、また、ドアホンインターフェイス１０３は、カメラ電源回路１０３ａ、ＦＭ復調回路１０３ｂ、呼出検出回路１０３ｃ、ビデオコーデック１０３ｄおよび音声コーデック１０３ｅの各部を備えている。ここで、ＣＰＵ１０６は、親機インターフェイス１０１、ドアホン選択回路１０２、カメラ電源回路１０３ａ、ＦＭ復調回路１０３ｂ、呼出検出回路１０３ｃ、ビデオコーデック１０３ｄ、音声コーデック１０３ｅ、アダプタＵＳＢインターフェイス１０４および無線ＬＡＮインターフェイス１０５に接続され、親機インターフェイス１０１には親機幹線Ｌ２を介して親機３０が、ドアホン選択回路１０２および呼出検出回路１０３ｃには子機幹線Ｌ１ａ、Ｌ１ｂ、…Ｌ１ｎを介して対応する玄関子機２０ａ、２０ｂ、・・・２０ｎがそれぞれ接続されている。また、カメラ電源回路１０３ａ、ＦＭ復調回路１０３ｂおよび音声コーデック１０３ｅは、ドアホン選択回路１０２に接続され、カメラ電源回路１０３ａにはアダプタＵＳＢインターフェイス１０４が、ＦＭ復調回路１０３ｂにはビデオコーデック１０３ｄがそれぞれ接続されている。
【００３２】
パーソナルコンピュータ４０は、画像処理４０１ａ、サウンドファイル４０１ｂおよびタイマー４０１ｃを有するアプリケーションソフトウェア４０１、パーソナルコンピュータＵＳＢインターフェイス４０２、電源供給回路４０３、記憶装置４０４、表示装置４０５、スピーカ（以下「パーソナルコンピュータスピーカ」という。）４０６、マイク（以下「パーソナルコンピュータマイク」という。）４０７およびＬＡＮインターフェイス４０８の各部を備えている。ここで、アプリケーションソフトウェア４０１は、パーソナルコンピュータＵＳＢインターフェイス４０２、電源供給回路４０３、記憶装置４０４、表示装置４０５、パーソナルコンピュータスピーカ４０６、パーソナルコンピュータマイク４０７およびＬＡＮインターフェイス４０８に接続され、パーソナルコンピュータＵＳＢインターフェイス４０２には伝送ラインＬ３を介してアダプタＵＳＢインターフェイス１０４が、電源供給回路４０３にはパーソナルコンピュータＵＳＢインターフェイス４０２およびＡＣ電源がそれぞれ接続されている。
【００３３】
次に、このように構成された本発明のインターホン装置の動作について説明する。
【００３４】
先ず、初期段階において、パーソナルコンピュータ４０のＡＣ電源をオンにすると、パーソナルコンピュータ４０を構成する各部（回路）に動作電源が供給される。また、パーソナルコンピュータ４０にアプリケーションソフトウェア４０１をインストールすることで、ドアホンアダプタ１０に接続された玄関子機２０ａ、２０ｂ、・・・２０ｎがパーソナルコンピュータ４０に認識される。さらに、アプリケーションソフトウェア４０１の制御により、パーソナルコンピュータ４０から、例えば第１の玄関子機２０ａのインターフェイス条件に対応させるための設定信号（以下「第１の設定信号」という。）がパーソナルコンピュータＵＳＢインターフェイス４０２、伝送ラインＬ３およびアダプタＵＳＢインターフェイス１０４を介してＣＰＵ１０６へ伝送され、かかる第１の設定信号がＣＰＵ１０６で検出されると、ＣＰＵ１０６の制御により、カメラ電源回路１０３ａにおけるカメラの電源電圧、呼出検出回路１０３ｃにおける呼出信号レベルや通話信号レベル、およびＦＭ復調回路１０３ｂにおけるＦＭ映像信号の周波数や変調度の条件が第１の玄関子機２０ａのインターフェイス条件に対応するように調節される。また、ＣＰＵ１０６により、リレー等の切替手段を有するドアホン選択回路１０２が制御され、ドアホン選択回路１０２が第１の玄関子機２０ａに接続される。ここで、上記の通話信号レベルについては、後述する音声コーデック１０３ｅにより、アナログ信号からデジタル信号に変換された音声データがアプリケーションソフトウェア４０１で処理され、適切な通話信号レベルに変換される。
【００３５】
また、電源供給回路４０３からパーソナルコンピュータＵＳＢインターフェイス４０２、伝送ラインＬ３およびアダプタＵＳＢインターフェイス１０４を介してカメラ電源回路１０３ａへ電源が給電され、これにより、カメラ電源回路１０３ａからドアホンアダプタ１０を構成する各部（回路）に動作電源が供給される。また、ＣＰＵ１０６の制御により、電源供給回路４０３からパーソナルコンピュータＵＳＢインターフェイス４０２、伝送ラインＬ３およびアダプタＵＳＢインターフェイス１０４、ＣＰＵ１０６、ドアホン選択回路１０２および子機幹線Ｌ１ａ、Ｌ１ｂ、…Ｌ１ｎを介して各玄関子機２０ａ、２０ｂ、・・・２０ｎの各部（回路）に動作電源が供給される。
【００３６】
このような状態において、訪問者が例えば第１の玄関子機２０ａの呼出ボタン（以下「第１の呼出ボタン」という。）２０１を押下すると、玄関子機情報（第１の玄関子機２０ａの番号）を含む呼出信号（以下「第１の呼出信号」という。）が第１の玄関子機２０ａの子機インターフェイス２０６（以下「第１の子機インターフェイス２０６」という。）および第１の子機幹線Ｌ１ａを介して呼出検出回路１０３ｃへ伝送される。そして、かかる第１の呼出信号が呼出検出回路１０３ｃで検出されると、ＣＰＵ１０６から第１の玄関子機２０ａからの呼出検出信号（以下「第１の呼出検出信号」という。）および第１の玄関子機２０ａのカメラ２０４（以下「第１のカメラ２０４」という。）を起動するためのカメラ電源起動信号（以下「第１のカメラ電源起動信号」という。）が出力され、前者の第１の呼出検出信号が前述の設定信号と逆の経路を経由してアプリケーションソフトウェア４０１へ伝送される。これにより、アプリケーションソフトウェア４０１が被呼動作を開始し、パーソナルコンピュータスピーカ４０６からサウンドファイル４０１ｂで定義された呼出音が放音される。
【００３７】
また、後者の第１のカメラ電源起動信号がカメラ電源回路１０３ａへ伝送されると、カメラ電源回路１０３ａから、ドアホン選択回路１０２および第１の子機幹線Ｌ１ａを介して第１のカメラ２０４およびＦＭ変調回路（以下「第１のＦＭ変調回路」という。）２０５へ動作電源が供給される。これにより、第１のカメラ２０４および第１のＦＭ変調回路２０５が能動となり、第１のカメラ２０４によって訪問者の映像が撮像される。そして、第１のカメラ２０４によって撮像された映像は、第１のＦＭ変調回路２０５を介してＦＭ変調されたＦＭ映像信号として第１の子機インターフェイス２０６、第１の子機幹線Ｌ１ａおよびドアホン選択回路１０２を介してＦＭ復調回路１０３ｂへ伝送される。かかるＦＭ映像信号はＦＭ復調回路１０３ｂにおいてＦＭ復調され、ＦＭ復調された映像信号はビデオコーデック１０３ｄによりアナログ信号からデジタル信号に変換されてＣＰＵ１０６へ伝送される。
【００３８】
また、これと共に、第１の玄関子機２０ａの子機マイク（以下「第１の子機マイク」という。）２０２から音声信号が出力され、この音声信号が、第１の子機インターフェイス２０６、第１の子機幹線Ｌ１ａおよびドアホン選択回路１０２を介して音声コーデック１０３ｅへ伝送され、この音声コーデック１０３ｅにおいてアナログ信号からデジタル信号に変換されてＣＰＵ１０６へ伝送される。ここで、映像データはその性質上大量のデータとなるがビデオコーデック１０３ｄにより圧縮／伸長することで、後述するように、アダプタＵＳＢインターフェイス１０４、伝送ラインＬ３およびパーソナルコンピュータＵＳＢインターフェイス４０２を介してデータ送受信が可能になる。
【００３９】
このようにして、デジタル信号に変換された映像信号および音声信号は、ＣＰＵ１０６から前述の第１の呼出信号と同様の経路を経由してアプリケーションソフトウェア４０１へ伝送され、これにより、ブラウン管や液晶装置等から成る表示装置４０５に第１の玄関子機２０ａで撮像された訪問者の映像が表示されると共にパーソナルコンピュータスピーカ４０６から呼出音が放音される。
【００４０】
ここで、居室内の居住者が、パーソナルコンピュータスピーカ４０６から放音される呼出音および表示装置４０５に表示される映像に基づいて訪問者を確認し、パーソナルコンピュータ４０において所定の操作を行なうと、パーソナルコンピュータスピーカ４０６およびパーソナルコンピュータマイク４０７と、第１の玄関子機２０ａの子機ピーカ２０３および第１の子機マイク２０２間に通話路が形成され、これにより、訪問者と居室内の居住者間で通話することが可能になる。なお、パーソナルコンピュータ４０の所定の操作により、第１の玄関子機２０ａとの通話を終了させることができる。
【００４１】
次に、このような状態において、すなわち、ドアホンアダプタ１０の各部（回路）が第１の玄関子機２０ａのインターフェイス条件に対応するように調節されている状態において、訪問者が例えば第２の玄関子機２０ｂの呼出ボタン（不図示）を押下すると、玄関子機情報（第２の玄関子機２０ｂの番号）を含む呼出信号（以下「第２の呼出信号」という。）が第２の玄関子機２０ｂの子機インターフェイス（不図示）および第２の子機幹線Ｌ１ｂを介して呼出検出回路１０３ｃへ伝送される。そして、かかる第２の呼出信号が呼出検出回路１０３ｃで検出されると、ＣＰＵ１０６から第２の玄関子機２０ｂからの呼出検出信号（以下「第２の呼出検出信号」という。）および第２の玄関子機２０ｂのカメラ（以下「第２のカメラ」という。）を起動するためのカメラ電源起動信号（以下「第２のカメラ電源起動信号」という。）が出力され、前者の第２の呼出検出信号が前述の第１の呼出検出信号と同様の経路を経由してアプリケーションソフトウェア４０１へ、後者の第２のカメラ電源起動信号がカメラ電源回路１０３ａへそれぞれ伝送される。
【００４２】
これにより、アプリケーションソフトウェア４０１が被呼動作を開始し、パーソナルコンピュータスピーカ４０６からサウンドファイル４０１ｂで定義された呼出音が放音されると共に、アプリケーションソフトウェア４０１から、第２の玄関子機２０ｂのインターフェイス条件に対応させるための設定信号（以下「第２の設定信号」という。）が出力され、この第２の設定信号が前述の第１の設定信号と同様の経路を経由してＣＰＵ１０６へ伝送される。そして、かかる第２の設定信号がＣＰＵ１０６で検出されると、ＣＰＵ１０６の制御により、カメラ電源回路１０３ａにおけるカメラの電源電圧、呼出検出回路１０３ｃにおける呼出信号レベルや通話信号レベル、およびＦＭ復調回路１０３ｂにおけるＦＭ映像信号の周波数や変調度の条件が第２の玄関子機２０ｂのインターフェイス条件に対応するように調節される。また、これと共に、ＣＰＵ１０６により、ドアホン選択回路１０２が制御され、ドアホン選択回路１０２が第２の玄関子機２０ｂに接続される。
【００４３】
さらに、後者の第２のカメラ電源起動信号がカメラ電源回路１０３ａへ伝送されると、カメラ電源回路１０３ａから、ドアホン選択回路１０２および第２の子機幹線Ｌ１ｂを介して第２のカメラ２０２および第２の玄関子機２０ｂのＦＭ変調回路（以下「第２のＦＭ変調回路」という。）へ動作電源が供給され、これにより、第２のカメラおよび第２のＦＭ変調回路が能動となり、第２のカメラによって訪問者の映像が撮像される。かかる映像は、第２のＦＭ変調回路を介してＦＭ変調されたＦＭ映像信号として第２の子機インターフェイス、第２の子機幹線Ｌ１ｂおよびドアホン選択回路１０２を介してＦＭ復調回路１０３ｂへ伝送される。そして、かかるＦＭ映像信号は前述と同様にしてＦＭ復調され、ビデオコーデック１０３ｄによりアナログ信号からデジタル信号に変換されてＣＰＵ１０６へ伝送される。また、第２の玄関子機２０ｂの子機マイク（以下「第２の子機マイク」という。）から出力する音声信号は、第２の子機インターフェイス、第２の子機幹線Ｌ１ｂおよびドアホン選択回路１０２を介して音声コーデック１０３ｅへ伝送され、前述と同様にしてアナログ信号からデジタル信号に変換されてＣＰＵ１０６へ伝送される。
【００４４】
このようにして、デジタル信号に変換された映像信号および音声信号は、前述と同様にしてアプリケーションソフトウェア４０１へ伝送され、パーソナルコンピュータスピーカ４０６およびパーソナルコンピュータマイク４０７と、第２の玄関子機２０ｂの子機スピーカおよび第２の子機マイク間に通話路が形成され、これにより、訪問者と居室内の居住者間で通話することが可能になる。
【００４５】
同様にして、訪問者が玄関子機２０ｎの呼出ボタン（不図示）を押下しても、パーソナルコンピュータスピーカ４０６およびパーソナルコンピュータマイク４０７と、玄関子機２０ｎの子機スピーカおよび玄関子機２０ｎの子機マイク間に通話路を形成することができ、訪問者と居住者間で通話することができる。
【００４６】
ここで、前述の実施例においては、第１、第２の玄関子機２０ａ、２０ｂとパーソナルコンピュータ４０間で呼出、通話および映像のモニタを行なう場合について説明しているが、前述の第１、第２の玄関子機２０ａ、２０ｂからの呼出信号、映像信号および音声信号をアプリケーションソフトウェア４０１の制御により、パーソナルコンピュータ４０からパーソナルコンピュータＵＳＢインターフェイス４０２、伝送ラインＬ３、アダプタＵＳＢインターフェイス１０４、ＣＰＵ１０６、親機インターフェイス１０１および親機幹線Ｌ２を介して親機３０へリアルタイムで送信して、親機３０と第１、第２の玄関子機２０ａ、２０ｂ間で呼出、通話および映像のモニタを行なうようにしてもよい。この場合、映像信号は親機インターフェイス１０１に内蔵されたＦＭ変調回路（不図示）おいてＦＭ変調され、また、親機インターフェイス１０１に内蔵されたビデオコーデック（不図示）によりデジタル信号からアナログ信号に変換されて親機３０へ送信される。同様に、音声信号も親機インターフェイス１０１に内蔵された音声コーデック（不図示）によりデジタル信号からアナログ信号に変換されて親機３０へ送信される。なお、前述の第１、第２の玄関子機２０ａ、２０ｂからの呼出信号、映像信号および音声信号は、パーソナルコンピュータ４０を介さずに直接ＣＰＵ１０６から親機インターフェイス１０１および親機幹線Ｌ２を介して親機３０へリアルタイムで送信して、親機３０と第１、第２の玄関子機２０ａ、２０ｂ間で呼出、通話および映像のモニタを行なうようにしてもよい。
【００４７】
このような構成のインターホン装置においては、パーソナルコンピュータ４０側から各玄関子機２０ａ、２０ｂ、…２０ｎに対して電源を供給することができることから、インターホン装置の設置に際して、電気工事士等による電気工事が不要となり、また、アプリケーションソフトウェア４０１の制御により、インターフェイス条件の異なる他の玄関子機を任意に選択することができる。さらに、パーソナルコンピュータ４０にアプリケーションソフトウェア４０１が設けられていることから、新機種の玄関子機に対しても、アプリケーションソフトウェア４０１のバージョンアップで容易に対応することが可能になる。
【００４８】
次に、本発明のインターホン装置におけるドアホンダプタ１０およびパーソナルコンピュータ４０の付加的な機能について説明する。
【００４９】
第１に、パーソナルコンピュータ４０に記憶装置４０４を搭載した場合においては、アプリケーションソフトウェア４０１の制御により、表示装置４０５に表示されている映像やパーソナルコンピュータスピーカ４０６で放音される音声を記憶装置４０４へ保存することができる。
【００５０】
この場合は、アプリケーションソフトウェア４０１の制御により、必要に応じて、記憶装置４０４から映像信号や音声信号が読み出され、パーソナルコンピュータＵＳＢインターフェイス４０２、伝送ラインＬ３およびアダプタＵＳＢインターフェイス１０４、ＣＰＵ１０６、親機インターフェイス１０１および親機幹線Ｌ２を介し親機３０へ伝送することができる。
【００５１】
第２に、パーソナルコンピュータ４０にＬＡＮインターフェイス４０８を搭載した場合には、アプリケーションソフトウェア４０１の制御により、玄関子機からの呼出信号、映像信号および音声信号、または記憶装置４０４に保存した映像データや音声データをＬＡＮ配線Ｌ４を通じて他のパーソナルコンピュータ４０ａへ送受信することができる。
【００５２】
第３に、ドアホンアダプタ１０に無線ＬＡＮインターフェイス１０５を搭載した場合には、アプリケーションソフトウェア４０１の制御により、玄関子機からの呼出信号、映像信号および音声信号、または記憶装置４０４に保存した映像データや音声データをネットワークを通じて他のパーソナルコンピュータ（不図示）へ送受信することができる。
【００５３】
第４に、アプリケーションソフトウェア４０１に画像処理４０１ａを搭載した場合には、表示装置４０５に表示される映像の画質を任意に調整することができる。
【００５４】
第５に、アプリケーションソフトウェア４０１にサウンドファイル４０１ｂを搭載した場合には、アプリケーションソフトウェア４０１の制御により、パーソナルコンピュータスピーカ４０６から放音する呼出音をサウンドファイル４０１ｂで定義された任意の呼出音に設定することができる。
【００５５】
第６に、アプリケーションソフトウェア４０１にタイマー４０１ｃを搭載した場合には、アプリケーションソフトウェア４０１の制御により、タイマー４０１ｃで設定した時刻に訪問者の映像を自動的に録画することができ、若しくは一定時間毎に録画することができる。
【００５６】
第７に、ドアホン選択回路１０２に複数の玄関子機を接続した場合においては、アプリケーションソフトウェア４０１からの制御により、ＣＰＵ１０６の制御を通じて順次玄関子機を切替えることができる。
【００５７】
この場合は、複数個所にそれぞれ設置された玄関子機のカメラで撮像された映像をパーソナルコンピュータ４０の表示装置４０６に表示させることができ、また、必要により当該映像を記憶装置４０４に保存することができ、ひいては、玄関子機のカメラを監視用カメラとして利用することができる。
【００５８】
なお、前述の実施例においては、玄関子機を複数台設置した場合について述べているが、本発明はこれに限定されず、玄関子機の設置台数は１台でもよい。
【００５９】
【発明の効果】
以上の説明から明らかなように、本発明のインターホン装置によれば、複数の玄関子機にドアホンアダプタのドアホンインターフェイスを接続し、当該ドアホンアダプタのアダプタＵＳＢインターフェイスにパーソナルコンピュータのパーソナルコンピュータＵＳＢインターフェイスを接続することにより、玄関子機とパーソナルコンピュータ間で呼出、通話および映像のモニタをすることができ、また、インターフェイス条件の異なる玄関子機を容易に接続することができる。
【図面の簡単な説明】
【図１】本発明によるインターホン装置の一実施例を示すブロック図。
【図２】従来のインターホン装置を示すブロック図。
【符号の説明】
１０・・・・・ドアホンアダプタ
１０１・・・・・親機インターフェイス
１０２・・・・・ドアホン選択回路
１０３・・・・・ドアホンインターフェイス
１０３ａ・・・・・カメラ電源回路
１０３ｂ・・・・・ＦＭ復調回路
１０３ｃ・・・・・呼出検出回路
１０３ｄ・・・・・ビデオコーデック
１０３ｅ・・・・・音声コーデック
１０４・・・・・アダプタＵＳＢインターフェイス
１０５・・・・・無線ＬＡＮインターフェイス
１０６・・・・・ＣＰＵ
２０ａ、２ｂｂ、…２０ｎ・・・・・玄関子機
２０６・・・・・子機インターフェイス
２０４・・・・・カメラ
２０５・・・・・スピーカ
２０６・・・・・マイク
２０７・・・・・呼出ボタン
３０・・・・・親機
４０・・・・・パーソナルコンピュータ
４０１・・・・・アプリケーションソフトウェア
４０１ａ・・・・・画像処理
４０１ｂ・・・・・サウンドファイル
４０１ｃ・・・・・タイマー
４０２・・・・・パーソナルコンピュータＵＳＢインターフェイス
４０４・・・・・記憶装置
４０５・・・・・表示装置
４０６・・・・・スピーカ
４０７・・・・・マイク
４０８・・・・・ＬＡＮインターフェイス
【図１】
2004282125.tif 000003
【図２】
2004282125.tif 000004